(57)【要約】【課題】コネクタに振動が加わった際のコンタクトの動きを軽減し、コンタクトの摩耗を減少させることができるコネクタを提供する。【解決手段】一対の樹脂製コネクタハウジング１１，１３の一方に形成された内筒部１９と、他方に形成された外筒部２３とを備え、内筒部１９の外壁面に突設したガイドリブ６３を外筒部２３の内壁面に凹設したガイド溝６７に位置決めして内筒部１９と外筒部２３とを嵌合し正規嵌合位置で双方に亘って設けたロック手段にて離脱方向の移動が規制され且つコンタクトが接触するコネクタ１００であって、正規嵌合位置で外筒部２３の嵌合により押圧されて弾性変形するガタ詰め部７３がロック手段の係止位置に対応したガイドリブ６３上の位置またはガイド溝６７の底部位置に一体成形される。【選択図】図６
2011060671.tif 000002
【特許請求の範囲】
【請求項１】
一対の樹脂製コネクタハウジングの一方に形成された内筒部と、他方に形成された外筒部とを備え、前記内筒部の外壁面に突設したガイドリブを前記外筒部の内壁面に凹設したガイド溝に位置決めして前記内筒部と前記外筒部とを嵌合し正規嵌合位置で双方に亘って設けたロック手段にて離脱方向の移動が規制され且つコンタクトが接触するコネクタであって、
前記正規嵌合位置で前記外筒部の嵌合により押圧されて弾性変形するガタ詰め部が前記ロック手段の係止位置に対応した前記リブ上の位置または前記ガイド溝の底部位置に一体成形されていることを特徴とするコネクタ。
【請求項２】
請求項１記載のコネクタであって、
前記ガイドリブ及び前記ガイド溝は、複数の前記コンタクトを並置する端子収容室の各コンタクトを通る直線上に配置されていることを特徴とするコネクタ。
【請求項３】
請求項１又は請求項２記載のコネクタであって、
前記内筒部及び前記外筒部の間の複数箇所には双方に当接するガタつき規制リブがさらに形成されていることを特徴とするコネクタ。
【発明の詳細な説明】
【技術分野】
【０００１】
本発明は、一対の樹脂製コネクタハウジングの一方に形成された内筒部と、他方に形成された外筒部とを嵌合するコネクタに関する。
【背景技術】
【０００２】
雌型コネクタと雄型コネクタとの嵌合時のガタ付きをなくすとともに、嵌合完了を明確に感知できるコネクタが知られている（特許文献１参照）。コネクタ５００は、図７に示す雌型コネクタ５０１と図８に示す雄型コネクタ５０３とにより構成されている。雌型コネクタ５０１は、ハウジング５０５の上側面に設けた係止用ロック部５０７と、側壁５０５ａ，５０５ｂのほぼ中心位置に半球状に設けられたボス部５０９ａ，５０９ｂと、を備え、ハウジング５０５内には電線５１１端部に接続された図８に示す雌型のコネクタ端子５１３が嵌挿されている。係止用ロック部５０７は、係止突起５０７ａが雄型コネクタ５０３の一端に弾性的に、且つ着脱自在に係止される。係止用ロック部５０７の両側には、所定の間隔を介してガイド部５１５ａ，５１５ｂが設けられる。
【０００３】
雄型コネクタ５０３は、ハウジング５１７内に電線５１９の端部に接続された雄型のコネクタ端子５２１が嵌挿されており、ハウジング５１７の前端側、すなわち雌型コネクタ５０１を嵌合する大径の嵌合部５２３の開口部５２５内に突出している。嵌合部５２３の内側であって開口部５２５の上側に相当する位置には、図１０に示す２条のリブ５２７ａ，５２７ｂが設けられる。
【０００４】
図８，図９に示すように、雌型コネクタ５０１をそのまま嵌合部５２３内に押し込むと、雌型コネクタ５０１の両側面に形成したボス部５０９ａ，５０９ｂが図９に示すように嵌合部５２３の端部に当接する。この時点では、図８に示すように係止突起５０７ａが嵌合部５２３の前端に当接するので、ボス部５０９ａ，５０９ｂへの当接と相まって突き当たりのような抵抗感を感じる。次いで係止用ロック部５０７が弾性的に復動して係止突起５０７ａが嵌合用ロックホール５２９に嵌合した時の節度感により嵌合完了を検知することができる。そして、抵抗感が増加した時点から雌型コネクタ５０１と雄型コネクタ５０３との間は、図１０に示すように、ボス部５０９ａ，５０９ｂの通過による嵌合部５２３の外方への変形によってなくなり、ガタ付きなく嵌合を行い得るようになっている。
【先行技術文献】
【特許文献】
【０００５】
【特許文献１】特開平９−３０６５９２号公報
【発明の概要】
【発明が解決しようとする課題】
【０００６】
しかしながら、上記した従来のコネクタ５００において、ボス部５０９ａ，５０９ｂの位置は節度感が得られる位置を前提とし、コネクタに振動が加わった際、端子接点部の摩耗を減少できるガタつき防止のための位置とはなっていない。
【０００７】
本発明は上記状況に鑑みてなされたもので、その目的は、コネクタに振動が加わった際のコンタクトの動きを軽減し、コンタクトの摩耗を減少させることができるコネクタを提供することにある。
【課題を解決するための手段】
【０００８】
本発明に係る上記目的は、下記構成により達成される。
（１）  一対の樹脂製コネクタハウジングの一方に形成された内筒部と、他方に形成された外筒部とを備え、前記内筒部の外壁面に突設したガイドリブを前記外筒部の内壁面に凹設したガイド溝に位置決めして前記内筒部と前記外筒部とを嵌合し正規嵌合位置で双方に亘って設けたロック手段にて離脱方向の移動が規制され且つコンタクトが接触するコネクタであって、
前記正規嵌合位置で前記外筒部の嵌合により押圧されて弾性変形するガタ詰め部が前記ロック手段の係止位置に対応した前記リブ上の位置または前記ガイド溝の底部位置に一体成形されていることを特徴とするコネクタ。
【０００９】
このコネクタによれば、内筒部と外筒部とが正規嵌合されると、コンタクトが接触し、内筒部の外壁面に突設したガイドリブと、外筒部の内壁面に凹設したガイド溝との間に介在するガタ詰め部が押圧され、弾性変形して潰される。コネクタに振動が加わった際、内筒部外壁面と外筒部内壁面との接近離反方向の平行移動が、ガタ詰め部の弾性復元力によって抑制される。
【００１０】
（２）  （１）のコネクタであって、
前記ガイドリブ及び前記ガイド溝は、複数の前記コンタクトを並置する端子収容室の各コンタクトを通る直線上に配置されていることを特徴とするコネクタ。
【００１１】
このコネクタによれば、各コンタクトを通る直線上にガタ詰め部が配置され、複数コンタクトの摺動がまとめて抑制可能となる。
【００１２】
（３）  （１）又は（２）のコネクタであって、
前記内筒部及び前記外筒部の間の複数箇所には双方に当接するガタつき規制リブがさらに形成されていることを特徴とするコネクタ。
【００１３】
このコネクタによれば、振動の加わったときに、ガタ詰め部によって、内筒部外壁面と外筒部内壁面との接近離反方向の平行移動が抑制されるのに加え、ガタつき規制リブによって、内筒部と外筒部との相対方向のモーメント発生が抑制される。
【発明の効果】
【００１４】
本発明に係るコネクタによれば、正規嵌合位置で外筒部の嵌合により押圧されて弾性変形するガタ詰め部がリブ上の位置またはガイド溝の底部位置に一体成形されているので、コネクタに振動が加わった際のコンタクトの動きを軽減し、コンタクトの摩耗を減少させることができる。
【図面の簡単な説明】
【００１５】
【図１】（ａ）は本発明に係るコネクタの分解斜視図、（ｂ）はＡ部拡大図である。
【図２】図１に示した雌コネクタハウジングの正面図である。
【図３】図１に示した雄コネクタハウジングの正面図である。
【図４】図１に示したコンタクトの嵌合途中の断面図である。
【図５】正規嵌合位置で嵌合状態となったコンタクトの断面図である。
【図６】（ａ）は図５のＢ−Ｂ断面図、（ｂ）はＣ部拡大図である。
【図７】従来のコネクタの斜視図である。
【図８】相手コネクタと嵌合途中の図７に示すコネクタの断面図である。
【図９】図８の側面図である。
【図１０】相手コネクタと嵌合した図７に示すコネクタの断面図である。
【発明を実施するための形態】
【００１６】
以下、本発明の実施の形態を図面を参照して説明する。
図１（ａ）は本発明に係るコネクタの分解斜視図、（ｂ）はＡ部拡大図、図２は図１に示した雌コネクタハウジングの正面図、図３は図１に示した雄コネクタハウジングの正面図、図４は図１に示したコンタクトの嵌合途中の断面図である。
防水コネクタ（以下、単に「コネクタ」と称す。）１００は、一対の樹脂製コネクタハウジングの一方である雄コネクタハウジング１３と、他方である雌コネクタハウジング１１と、を具備する。雌コネクタハウジング１１は、図２に示す端子収容室１５を内方に形成した筒状嵌合部であるハウジング本体１７を有する。このハウジング本体１７は、外周が雄コネクタハウジング１３との嵌合部となる。ハウジング本体１７の外側には雄コネクタハウジング１３の内筒部１９を受け入れる受入空間２１を有して包囲する外筒部（フード部）２３が設けられる。
【００１７】
フード部２３の後部には図１に示す切欠部２５が形成され、切欠部２５は後端が自由端となるロック手段であるロックアーム２７を配置する。ロックアーム２７は雄コネクタハウジング１３のロック手段であるロック突起２９に係止することで嵌合を保持する。ハウジング本体１７の前面には図４に示す雄端子挿入口３１が開口され、その上方にはフロントホルダ３３の挿入口３５が形成される。フロントホルダ３３は、挿入口３５から挿入されることで、図１に示す係止部３７をハウジング本体１７内の図２に示す係止手段３８に係止して装着されるとともに、規制部３９を雌端子４１の離脱を阻止している弾性係止片４３の係止解除方向に位置させて、雌端子４１を二重係止構造とする。
【００１８】
ハウジング本体１７は、長円筒状に形成され、その外周に、内周面をハウジング本体１７の外周面に水密、気密に密着する長円筒状のパッキン４５が装着される。パッキン４５は、ハウジング本体１７に装着された状態で、後面がハウジング段部４９に当接する。
【００１９】
雌端子４１は、図１に示す略箱型をなす本体部４１ａと、電線Ｗの端部に圧着接続されるバレル部４１ｂとを前後に繋げた構成とされる。本体部４１ａ内には、前方から相手の雄端子５１が挿入可能とされるとともに、その雄端子５１と弾性接触可能なコンタクトである弾性接触片４１ｃ（図４参照）が設けられている。この本体部４１ａの後部は、上記弾性係止片４３の係止する係止部５３となっている。電線Ｗの被覆にはシール栓５５が外挿される。シール栓５５は、その内周面が電線Ｗの被覆の外周面に、外周面が電線導出開口５７の内周面にそれぞれ密着して端子収容室１５内をシールする。
【００２０】
図３に示すように、雄コネクタハウジング１３の内筒部１９の外壁面（上面両側）には、嵌合・離脱方向ａに沿って延在する一対の上部ガイドリブ６１，６１が設けられる。また、雄コネクタハウジング１３の両側部には、嵌合・離脱方向ａに沿って延在する一対の側部ガイドリブ６３，６３が設けられる。一方、雌コネクタハウジング１１のフード部２３の内壁面上部には、上部ガイドリブ６１，６１を受け入れる図２に示す一対の上部ガイド溝６５，６５が形成される。また、フード部２３の内壁面側部には、側部ガイドリブ６３，６３を受け入れる一対の側部ガイド溝６７，６７が形成されている。これら上部ガイドリブ６１，６１及び側部ガイドリブ６３，６３と、上部ガイド溝６５，６５及び側部ガイド溝６７，６７とは、嵌合して、雌コネクタハウジング１１と雄コネクタハウジング１３の嵌合動作を案内する。
【００２１】
コネクタ１００は、雄コネクタハウジング１３の内筒部１９に突設した上部ガイドリブ６１，６１、側部ガイドリブ６３，６３を、雌コネクタハウジング１１のフロントホルダ３３に凹設した上部ガイド溝６５，６５、側部ガイド溝６７，６７に位置決めして、正規嵌合位置で双方に亘って設けたロックアーム２７、ロック突起２９にて離脱方向の移動が規制され且つ弾性接触片４１ｃと雄端子５１が接触する。
【００２２】
側部ガイドリブ６３，６３の側面または側部ガイド溝６７，６７の底部には、ガタ詰め部７３が一体成形されている。本実施の形態では、側部ガイドリブ６３，６３の側面に突設されている。ガタ詰め部７３は、ロックアーム２７、ロック突起２９の係止位置に対応する側部ガイドリブ６３，６３の側面位置に配設される。ガタ詰め部７３は、正規嵌合位置でフード部２３と内筒部１９とが嵌合することにより、押圧されて弾性変形する。
【００２３】
図５は正規嵌合位置で嵌合状態となったコンタクトの断面図、図６（ａ）は図５のＢ−Ｂ断面図、（ｂ）はＣ部拡大図である。
側部ガイドリブ６３，６３及び側部ガイド溝６７，６７は、複数の弾性接触片４１ｃを並置する端子収容室１５の各弾性接触片４１ｃを通る図６に示す直線７５上に配置されている。各弾性接触片４１ｃを通る直線７５上にガタ詰め部７３が配置され、複数の弾性接触片４１ｃと雄端子５１との図６の左右方向の摺動がまとめて抑制可能となっている。
【００２４】
内筒部１９及びフード部２３の間の複数箇所には双方に当接する図２，図３に示すガタつき規制リブＲ１，Ｒ２，Ｒ３，Ｒ４，Ｒ５，リブ６９がさらに形成されている。本実施の形態において、リブＲ１，Ｒ２，Ｒ３，Ｒ４，Ｒ５，リブ６９は、嵌合・離脱方向ａに垂直な断面７１（図５参照）上に位置する。
【００２５】
リブＲ１，Ｒ３と、リブＲ２，Ｒ４とは図２において左右対称であるので、リブＲ１，Ｒ３，Ｒ５を代表に説明する。リブＲ１は、上部ガイド溝６５の下面から下方に突出して設けられる。リブＲ１の突出先端は、上部ガイドリブ６１の上面に設けられたリブ６９に圧接する。リブＲ３は、フード部２３の側部内面２３ａから内側に突出して設けられる。リブＲ３の突出先端は、雄コネクタハウジング１３の内筒部１９の側面１９ａに設けられたリブ６９に圧接する。リブＲ５は、フード部２３の底面２３ｂから内側に突出して設けられる。リブＲ５の突出先端は、雄コネクタハウジング１３の内筒部１９の下面１９ｂに設けられたリブ６９に圧接する。
【００２６】
リブＲ１，Ｒ２，Ｒ３，Ｒ４，Ｒ５，リブ６９は、先端が例えば凸曲面状（Ｒ状）に形成される。ハウジングと一体成形されていることで、圧接することにより弾性変形して潰される。リブＲ１，Ｒ２，Ｒ３，Ｒ４，Ｒ５，リブ６９は、嵌合完了直前に圧接を開始し、嵌合完了まで圧接状態を維持する長さで形成される。
【００２７】
次に、上記構成を有するコネクタ１００の作用を説明する。
図４に示すように、コネクタ１００が嵌合開始されると、雄コネクタハウジング１３の上部ガイドリブ６１，６１及び側部ガイドリブ６３，６３が、雌コネクタハウジング１１の上部ガイド溝６５，６５及び側部ガイド溝６７，６７に進入を開始し、嵌合が案内される。両ハウジング１１，１３が所定深さまで嵌合されると、ロック突起２９の前面に対してロックアーム２７の前面が摺接しつつ乗り上げる。さらに嵌合が進行して作業終盤に入ると、リブＲ１，Ｒ２，Ｒ３，Ｒ４，Ｒ５のそれぞれにリブ６９が干渉し、互いに押し潰されつつ嵌合が進行する。
【００２８】
そして、図５に示すように、両ハウジング１１，１３が正規嵌合位置まで嵌合されると、ロックアーム２７がロック突起２９を乗り越えて復元する。ロックアーム２７は、ロック突起２９の後面に対して係止することで、両ハウジング１１，１３を正規嵌合位置から離脱不能に保持する。この状態で、雌端子４１の弾性接触片４１ｃと雄端子５１とは正規接続位置である端子接点部７０で導通接続される。
【００２９】
この正規嵌合状態において、側部ガイドリブ６３，６３と側部ガイド溝６７，６７との間に介在する図６（ｂ）に示すガタ詰め部７３が押圧され、弾性変形して潰される。コネクタに振動が加わった際、雄コネクタハウジング１３の内筒部１９の外壁面（側面１９ａ）と雌コネクタハウジング１１フード部２３の内壁面（側部内面２３ａ）との接近離反方向の平行移動が、このガタ詰め部７３の弾性復元力によって抑制される。よって端子接点部７０の摺接が抑制されることとなる。
【００３０】
また、コネクタ１００では、振動の加わったときに、ガタ詰め部７３によって、内筒部１９の外壁面とフード部２３の内壁面との接近離反方向の平行移動が抑制されるのに加え、ガタつき規制リブＲ１，Ｒ２，Ｒ３，Ｒ４，Ｒ５と，リブ６９とによって、内筒部１９とフード部２３との相対方向のモーメント発生が抑制される。例えば図６において、リブＲ１，Ｒ２，Ｒ３，Ｒ４，Ｒ５と，リブ６９とが存在しなかった場合、雄コネクタハウジング１３にはコネクタ重心を中心としたモーメントが生じ易くなる。振動によりこのモーメントが反転を繰り返してガタつきが生じる。これに対し、本実施の形態の構成のように、リブＲ１，Ｒ２，Ｒ３，Ｒ４，Ｒ５，リブ６９が存在すれば、モーメントが生じにくくなり、両ハウジング１１，１３相互間のモーメントによるガタつきが抑制可能となる。
【００３１】
本実施の形態に係るコネクタ１００によれば、正規嵌合位置でフード部２３の嵌合により押圧されて弾性変形するガタ詰め部７３が側部ガイドリブ６３，６３上の位置または側部ガイド溝６７，６７の底部位置に一体成形されているので、コネクタ１００に振動が加わった際の内筒部１９とフード部２３の接近離反方向の平行移動を抑制し、弾性接触片４１ｃ、雄端子５１の動きを軽減できる。この結果、弾性接触片４１ｃ、雄端子５１の摩耗を減少させることができる。
【符号の説明】
【００３２】
１１  雌コネクタハウジング（一対の樹脂製コネクタハウジングの他方）
１３  雄コネクタハウジング（一対の樹脂製コネクタハウジングの一方）
１５  端子収容室
１９  内筒部
２３  フード部（外筒部）
２７  ロックアーム（ロック手段）
２９  ロック突起（ロック手段）
４１ｃ  弾性接触片（コンタクト）
６３  側部ガイドリブ（ガイドリブ）
６７  側部ガイド溝（ガイド溝）
６９  ガタつき規制リブ
７３  ガタ詰め部
７５  各コンタクトを通る直線
１００  コネクタ
Ｒ１，Ｒ２，Ｒ３，Ｒ４，Ｒ５  ガタつき規制リブ
【図１】
2011060671.tif 000003
【図２】
2011060671.tif 000004
【図３】
2011060671.tif 000005
【図４】
2011060671.tif 000006
【図５】
2011060671.tif 000007
【図６】
2011060671.tif 000008
【図７】
2011060671.tif 000009
【図８】
2011060671.tif 000010
【図９】
2011060671.tif 000011
【図１０】
2011060671.tif 000012